【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
ユーザによる視認のために支持面の上方で物体を位置決めするためのスタンドアセンブリであって、
ある長さを有するスロットを含む第１の側部を有する搭載プラットフォームと、
少なくとも部分的に前記スロット内に位置決めされる第１のクランプとを含み、前記第１のクランプは、前記搭載プラットフォームの前記第１の側部に前記物体を解放可能に固定し、前記第１のクランプは、前記スロットの長さに沿って移動可能である、スタンドアセンブリ。
【請求項２】
前記第１のクランプは、前記スロットの長さに沿った第１の方向に摺動しながら移動可能であり、前記第１の方向とは異なる前記搭載プラットフォームの前記第１の側部に対する第２の方向に移動する、請求項１に記載のスタンドアセンブリ。
【請求項３】
前記搭載プラットフォームに摺動可能に固定される第２のクランプをさらに含み、前記第２のクランプは、前記物体を前記搭載プラットフォームの前記第１の側部に解放可能に固定し、前記第２のクランプは、前記第１の方向および前記第２の方向とは異なる、前記搭載プラットフォームの前記第１の側部に対する第３の方向に摺動可能に移動する、請求項２に記載のスタンドアセンブリ。
【請求項４】
第３のクランプおよび第４のクランプをさらに含み、前記第３および第４のクランプは前記搭載プラットフォームに摺動可能に固定され、前記第３および第４のクランプは、前記物体を前記搭載プラットフォームの前側に解放可能に固定する、請求項３に記載のスタンドアセンブリ。
【請求項５】
前記第１のクランプは前記搭載プラットフォームに対して回動する、請求項１に記載のスタンドアセンブリ。
【請求項６】
前記第１のクランプは前記スロットを通って延在する、請求項１に記載のスタンドアセンブリ。
【請求項７】
前記第１のクランプは前記スロットに対して回転可能である、請求項１に記載のスタン
ドアセンブリ。
【請求項８】
前記搭載プラットフォームは、前記支持面に対して前記第１の側部の角度を変えるよう、前記スロットの長さに対して実質的に平行な軸を中心に回転する、請求項１に記載のスタンドアセンブリ。
【請求項９】
前記スロットの長さ方向の形状は非線形である、請求項１に記載のスタンドアセンブリ。
【請求項１０】
前記搭載プラットフォームの前記第１の側部は、前記物体が前記物体と前記搭載プラットフォームとの間の空気の循環を可能にするよう前記搭載プラットフォームに固定される場合、前記物体から間隔を空けて配置される窪んだ区域を含む、請求項１に記載のスタンドアセンブリ。
【請求項１１】
第１のスタンド構成要素と、間隔を空けて配置された第２のスタンド構成要素とを含むスタンドをさらに含み、前記スタンド構成要素は、前記支持面に接触し前記搭載プラットフォームを支持するよう適合され、前記支持面に対する前記スタンド構成要素間の距離はは調整可能である、請求項１に記載のスタンドアセンブリ。
【請求項１２】
前記第１のクランプおよび前記搭載プラットフォームは、前記物体の重量の少なくとも一部が前記第１のクランプに伝達されるように、前記物体を前記支持面に対して少なくとも部分的に逆の向きで吊るすよう協働する、請求項１に記載のスタンドアセンブリ。
【請求項１３】
前記第１のクランプは、前記第１のクランプが前記物体に接している間、前記第１のクランプに対する少ない摩擦での前記物体の移動を可能にするローラを含む、請求項１に記載のスタンドアセンブリ。
【請求項１４】
ユーザによる視認のために支持面の上方で物体を支持するための方法であって、
第１の側部を有する搭載プラットフォームにおいてスロットを通じて第１のクランプを延在させるステップと、
前記スロットの長さに沿って第１の方向に前記第１のクランプを摺動可能に移動させるステップと、
前記第１のクランプで前記物体を前記搭載プラットフォームの前記第１の側部に解放可能に固定するステップとを含む、方法。
【請求項１５】
前記搭載プラットフォームの前記第１の側部に対する第２の方向に前記第１のクランプを移動させるステップをさらに含み、前記第２の方向は前記第１の方向とは異なる、請求項１４に記載の方法。
【請求項１６】
前記搭載プラットフォームに摺動可能に固定される第２のクランプで前記物体を前記搭載プラットフォームの前記第１の側部に解放可能に固定するステップと、前記第２のクランプを、前記第１の方向および前記第２の方向とは異なる前記搭載プラットフォームの前記第１の側部に対する第３の方向に摺動可能に移動させるステップとをさらに含む、請求項１５に記載の方法。
【請求項１７】
前記搭載プラットフォームが前記支持面に対する前記第１の側部の角度を変えるよう軸を中心に回転するように、前記搭載プラットフォームを回転可能に搭載するステップをさらに含む、請求項１４に記載の方法。
【請求項１８】
前記延在させるステップは、前記物体が前記搭載プラットフォームの前記第１の側部の
窪んだ区域と前記物体との間の空気を循環させるよう前記搭載プラットフォームに固定される場合、前記搭載プラットフォームの前記第１の側部と前記物体との間の空間を維持するステップを含む、請求項１４に記載の方法。
【請求項１９】
（ｉ）第１のスタンド構成要素および間隔を空けて配置された第２のスタンド構成要素を含むスタンドで前記支持面の上方で前記搭載プラットフォームを支持するステップと、（ｉｉ）前記支持面に対して前記スタンド構成要素間の距離を調整するステップとをさらに含む、請求項１４に記載の方法。
【請求項２０】
前記延在させるステップは、前記第１のクランプが前記物体に接している間、前記第１のクランプに対する少ない摩擦での前記物体の移動を可能にするローラを前記第１のクランプに設けるステップを含む、請求項１４に記載の方法。
【手続補正２】
【補正対象書類名】明細書
【補正対象項目名】発明の名称
【補正方法】変更
【補正の内容】
【発明の名称】ユーザによる視認のために支持面の上方で物体を位置決めするためのスタンドアセンブリおよびそれを支持するための方法
【手続補正３】
【補正対象書類名】明細書
【補正対象項目名】００４５
【補正方法】変更
【補正の内容】
【００４５】
Ｉ．発明のいくつかの実施例の概要
この明細書中に開示されるスタンドアセンブリ３４（ときとして、「本／ラップトップ型コンピュータスタンド３４」または単に「スタンド３４」とも称される）は、２つの主要な構成要素、すなわち、スタンド１０、６０ａおよび搭載デッキ１２を含む。搭載デッキ１２はいくつかの主要な副構成要素、すなわち、搭載プラットフォーム２、１つ以上の摺動クランプ４、１つ以上の摺動クランプスロット６および搭載プラットフォームカプラ８を含む。スタンドアセンブリ３４は少なくとも２つの異なる実施例、すなわち、短いスタンド１０および高いスタンド６０ａを含む。この発明の好ましい実施例に従うと、短いスタンド１０は、ユーザがベッド、長椅子、床または他の場所において部分的または完全に仰向けの姿勢で横たわっているときに用いることができる。同様に、高いスタンド６０ａは、椅子に座っているか、ベッド上で実質的に仰向けになっているか、立っているかまたは他の場所にいるときに用いることができる。短いスタンド１０または高いスタンド６０ａに取付けられた搭載プラットフォーム２は、スタンド１０および６０ａとユーザとの間の実質的にいかなる傾斜角にも調整可能であり、さらに、傾斜角であっても本５０またはラップトップ型コンピュータ５２を確実に保持するよう構成される。さらに、この発明の実施例に従ったスタンド３４は、本がユーザの上方で真直ぐ下向きになっていても本を落下させるおそれなく、ユーザが実質的に容易に本のページをめくることを可能にする。
【手続補正４】
【補正対象書類名】明細書
【補正対象項目名】００４６
【補正方法】変更
【補正の内容】
【００４６】
スタンド３４は、ラップトップ型コンピュータ５２のユーザ、本５０の読者、電子書籍装置（イーブック（e-books）、すなわち、Sony Reader）、ならびにコンソールビデオゲ
ーム（すなわち、Xbox 360、Nintendo Wii、playstation2、およびplaystation3）のプレーヤが、上述の媒体または機器と対話しつつ、直立に座った姿勢から実質的にまたは完全に仰向けになった姿勢までの可能な限り広い範囲の姿勢をとることを可能にする。当該装置は、快適性を向上させる位置へと迅速かつ安全に調整することができるので、スタンド３４のユーザは、その調整可能性によって大いに利益を得る。
【手続補正５】
【補正対象書類名】明細書
【補正対象項目名】００５０
【補正方法】変更
【補正の内容】
【００５０】
第４および第６の短いスタンド構成要素１５ｄ、ｆの上方端部には、それぞれ、第１および第４の捩り止め１６ａ、ｄがあり、これらは、第１および第２のＬ字形の補強材１４ａ、ｂを係合し保持する。捩り止め１６は、当業者が認識し得るように、２つの別個の構成要素同士の接合を可能にし得る。捩り止めは、当該捩り止めが緩められた状態になると、第１の構成要素が第２の構成要素内でまたは当該第２の構成要素に沿って摺動することを可能にし、次いで、第１および第２の構成要素の相対的な位置決めが完了すると、捩り止めが締められて、２つの構成要素が結合され得る。捩り止めの上述の説明は単に例示的なものに過ぎず、限定することを意図するものではなく、公知の捩り止めのためのすべての異なる手段がこの発明のさまざまな実施例に含まれると考えられる。第１および第２のＬ字形の補強材１４ａ、ｂの遠端には第２および第３の捩り止め１６ｂ、ｃがあり、これらが第６の短いスタンド構成要素１５ｇに係合する。第７の短いスタンド構成要素１５ｇには搭載カプラ８を介して搭載プラットフォーム２が結合される。これらはともに以下においてさらに詳細に説明される。捩り止め１６ａ、ｄならびに第１および第２のＬ字形の補強材１４ａ、ｂの正味の効果は、短いスタンド１０の高さを当該構成要素の設計限界内の所望の高さに調整する能力をユーザに与えることである。
【手続補正６】
【補正対象書類名】明細書
【補正対象項目名】００５１
【補正方法】変更
【補正の内容】
【００５１】
この発明の好ましい実施例に従うと、ユーザがスタンド３４を用いて本５０を読むことを欲する場合、ユーザは本５０を搭載プラットフォーム２上に設置し、これをクランプ４ａ〜ｄで固定する。これは以下において詳細により十分に記載される。本の高さを最も適切なものにするために、第３および第５の短いスタンド構成要素１５ｃ、ｅは、水平な部分と角度の付いた部分との間の角度（第１の短いスタンド構成要素１５ａと第４の短いスタンド構成要素１５ｄとの間、および、第２の短いスタンド構成要素１５ｂと第６の短いスタンド構成要素１５ｆとの間の角度を約５８゜にまで押すよう操作される。次いで、フリップロック１７ａ、ｂを用いて、所望の位置で第３および第５の短いスタンド構成要素１５ｃ、ｅをロックすることにより、第１の短いスタンド構成要素１５ａと第４の短いスタンド構成要素１５ｄとの間、および、第２の短いスタンド構成要素１５ｂと第６の短いスタンド構成要素１５ｆとの間において所望の角度が設定される。スタンド３４上で本５０の高さを微調整するために、ユーザは、次いで、入れ子式のＬ字形の補強材１４ａ、ｂを所望の高さに伸ばすことができる。
【手続補正７】
【補正対象書類名】明細書
【補正対象項目名】００５７
【補正方法】変更
【補正の内容】
【００５７】
図２９は、この発明の実施例に従った、ラップトップ型コンピュータ５２を保持するスタンド３４の正面斜視図を示す。ラップトップ型コンピュータ５２は、ユーザが人間工学的に実質的に仰向けに横たわった状態で、容易かつ快適にラップトップ型コンピュータ５２を操作することができるように、クランプ４ａ〜ｄによって適所に確実に保持される。図３０は、この発明の実施例に従って本５０を保持するＸＤｅｃｋ本／ラップトップ型コンピュータスタンド３４の正面斜視図を示す。本５０は、ユーザが人間工学的に実質的に仰向けに横たわり、その頭部を自身が横たわった表面上で実質的に平らにした状態で本５０を容易かつ快適に読むことができるように、クランプ４ａ〜ｄによって適所に確実に保持される。さらに図３０に示されるブックストラップ５４は、以下により詳細に説明されるが、この発明の実施例に従った搭載プラットフォーム２に対して本５０を保持するのを支援する。
【手続補正８】
【補正対象書類名】明細書
【補正対象項目名】００５８
【補正方法】変更
【補正の内容】
【００５８】
Ｂ．高いスタンド６０ａ
図６Ａは、この発明の別の実施例に従った本／ラップトップ型コンピュータホルダの高いスタンド（高いスタンド）６０ａの斜視図を示す。上述のとおり、高いスタンド６０ａは、この発明の好ましい実施例に従って、立っているかまたはベッド上に横たわっているユーザによって使用され得る。高いスタンド６０ａは、高いスタンド基部６４、第１の高いスタンド構成要素６６ａ、第１の捩り止め１６ａ、第２の高いスタンド構成要素６６ｂ、第２の捩り止め１６ｂ、Ｌ字形の補強材１４ａ、第３の捩り止め１６ｃ、調整可能な揺止め補強材７６、および、短いスタンド構成要素１５ｇと同一である第３の高いスタンド構成要素６６ｃを含む。搭載プラットフォーム２は、搭載カプラ８を介して、実質的に水平である第３の高いスタンド構成要素６６ｃに結合される。ユーザは、第１および第２の捩り止め１６ａ、ｂによって高いスタンド６０ａの高さを調整することができ、搭載カプラ８によって、または捩り止め１６ｃを介して搭載プラットフォーム２の最終的な配置を調整して、第３の高いスタンド構成要素６６ｃを伸ばすかまたは引込めることができる。戻り止め、ばねおよび空気圧シリンダの使用は、短いスタンド１０および短いスタンド１０′に関して上述したとおり、高いスタンド６０ａの構造およびアセンブリにも同様に適用される。
【手続補正９】
【補正対象書類名】明細書
【補正対象項目名】００５９
【補正方法】変更
【補正の内容】
【００５９】
この発明の好ましい実施例に従うと、ユーザは、ベッドの側に隣接して立っている高いスタンド構成要素６６ａ、ｂ、第３の高いスタンド構成要素６６ｃおよび搭載プラットフォーム２がベッドの上に延在するように、ベッドの下に高いスタンド基部６４を配置することができる。調整可能な揺止め補強材（補強材）７６ａは、図６Ａ、図７および図８に図示のとおり、高いスタンド構成要素６６ａに対して実質的に垂直であり、高いスタンド構成要素６４に対して実質的に平行である。補強材７６ａは、高いスタンド６０ａの安定性をさらに向上させるために椅子またはベッドの下側に上向きの圧力を加えるよう調整することができる。補強材７６ａは、高いスタンド構成要素６６ａに摺動係合するか、または、上下に摺動してベッドの下側に係合する基部６４に固定されたＬ字形の構成要素として作製される。この発明の好ましい実施例においては、補強材７６ａは高いスタンド構成
要素６６ａ内から突出し、戻り止め、ばねおよび空気圧シリンダを用いることにより、ユーザは補強材７６をベッドの下においてはまり込むように上げるかまたは下げることができる。補強材７６ａがベッドの下側に対し上向きの力を加えると、基部６４が床に押し下げられ、高いスタンド６０ａにとって実質的に確実な足場が利用可能となる。８〜１０ポンドのラップトップ型コンピュータと結合された高いスタンド６０ａの高さでは、たとえば、補強材７６ａを使用しない場合、高いスタンド６０ａが転倒し易くおよび／またはぐらつき易くなる可能性がある。戻り止め、ばねおよび空気圧シリンダの使用は、短いスタンド１０および短いスタンド１０′に関して上述したとおり、補強材７６ａにも同様に適用される。随意には、高いスタンド６０ａは補強材７６ａなしでも作製可能である。図６Ｂは、この発明の実施例に従った、補強材７６ｂを備えた高いスタンド６０ａの代替的な実施例を示す。補強材７６ｂは補強材７６ａと実質的に同様に動作するので、簡潔にするためにその動作の詳細な説明は省略する。図６Ｃは、ベッドまたは椅子の下側に力を加えている、高いスタンド６０ａ上の補強材７６ｂを示す。補強材７６ｂによって上向きの力が加えられ、基部６４によって下向きの力が加えられた結果、高いスタンド６０ａは実質的に静止かつ安定し、振動または転倒なしに、搭載プラットフォーム８上のたとえばラップトップ型コンピュータ５２などの大きな重量を支持することができる。補強材７６ａと基部６４との組合せは調整可能な楔として想定されてもよい。図７は高いスタンド６０ａの正面図を示し、図８は高いスタンド６０ａの側面図を示し、図９は高いスタンド６０ａの上面図を示す。図７〜図９は、補強材７６ａを供えた高いスタンド６０ａを示しているが、但し、当業者が認識し得るように、補強材７６ｂも同様に使用可能であるか、または、補強材７６ａ、ｂは高いスタンド６０ａとともに使用することができない。
【手続補正１０】
【補正対象書類名】明細書
【補正対象項目名】００６０
【補正方法】変更
【補正の内容】
【００６０】
図１０Ａ〜Ｆは、この発明のさらなる実施例に従った、高いスタンド６０ａのいくつかの異なる実施例の斜視図を示す。図１０Ａには、この発明の代替的な実施例に従った高いスタンド６０ｂが示されており、第４の高いスタンド構成要素６６ｄ、１８″の伸長チューブが、第１および第２の高いスタンド構成要素６６ａ、ｂならびに第１の捩り止め１６ａの代わりとなる。図１０Ｂ〜Ｆは、この発明の代替的な実施例に従った高いスタンド基部６４のさまざまな実施例を示す。図１０Ａ〜Ｆは補強材７６ａ、ｂを含んでいないが、この発明の当業者であれば、図１０Ａ〜Ｆに示される高いスタンド６０ａの代替的な実施例で補強材７６ａ、ｂを用いることがこの発明の実施例の範囲内であることを認識し得る。
【手続補正１１】
【補正対象書類名】明細書
【補正対象項目名】００６１
【補正方法】変更
【補正の内容】
【００６１】
この発明の代替的な実施例に従うと、ユーザは、マットレスの側に隣接して立っている高いスタンド構成要素６６ａ、ｂと第３の高いスタンド構成要素６６ｃと搭載プラットフォーム２とがベッドの表面上に延在するように、典型的なベッドのマットレスとボックススプリングとの間に高いスタンド基部６４を配置し得る。この発明のさらに別の代替的な実施例に従うと、高いスタンド６０ａは、図６Ａに図示のとおり、高いスタンド構成要素６６ａ、ｂおよび／または１４ａ上の予め定められた地点に取付けることのできる調整可能な読書灯（他の可能性としてＬＥＤまたはハロゲン）を援用する。これらの灯は、たとえば電池または通常の家庭用の電気設備（１２０ボルトＡＣ）によって電力供給され得る
。
【手続補正１２】
【補正対象書類名】明細書
【補正対象項目名】００６２
【補正方法】変更
【補正の内容】
【００６２】
ＩＩＩ．搭載デッキ１２
上述のとおり、搭載デッキ１２は、いくつかの主要な副構成要素、すなわち、搭載プラットフォーム２、１つ以上の摺動クランプスロット６、１つ以上の摺動クランプ４、および搭載プラットフォームカプラ８を含む。各々を以下に詳細に説明する。
【手続補正１３】
【補正対象書類名】明細書
【補正対象項目名】００６３
【補正方法】変更
【補正の内容】
【００６３】
Ａ．搭載プラットフォーム２
図１１ＡおよびＢは、この発明の実施例に従った搭載プラットフォーム２の正面斜視図を示す。搭載プラットフォーム２は、この発明の好ましい実施例に従うと、プラスチック、たとえば、ポリカーボネート、レキサン（ｌｅｘａｎ）、アクリル樹脂、高密度ポリエチレン（ＨＤＰＥ）またはポリ塩化ビニル（ＰＶＣ）から作られてもよい。この発明の代替的な実施例に従うと、木材または金属を用いて搭載プラットフォーム２を製造することもでき、またはさらには、セラミックス、ガラス、複合材料（すなわち炭素繊維）、ガラス繊維、厚紙、パーティクルボード、またはさらには、大理石もしくは花崗岩などの切出された材料が用いられてもよい。図１１〜図１４および図２５Ａ〜Ｆに示される搭載プラットフォーム２は概してＸ字形であるが、これは必ずしもそうである必要はない。たとえば、搭載プラットフォーム２は、図２５Ｇ〜Ｓに図示のとおり、長方形、円形、正方形、楕円形または他の多くの異なる形状もしくは設計として製造されてもよい。搭載プラットフォーム２は前側６８、後ろ側７０、摺動クランプスロット６ａ〜ｄ、通風区域７２（ときとして、この明細書中では「窪んだ区域」とも称される）および搭載カプラアクセス区域（アクセス区域）７４を含む。図１２は、図１１に示される搭載プラットフォームの背面斜視図を示し、図１３は、図１１に示される搭載プラットフォームの正面図を示す。
【手続補正１４】
【補正対象書類名】明細書
【補正対象項目名】００６６
【補正方法】変更
【補正の内容】
【００６６】
Ｄ．摺動クランプ４
搭載プラットフォーム２自体は一定の寸法であるが、スロット６内における摺動クランプ４の調整可能性は、装置の中でも、ラップトップ型コンピュータ５２、本５０、ビデオゲームおよびサイズの異なるＬＣＤモニタを含むがこれらに限定されない多くのさまざまな装置がスタンド３４によって保持されることを可能にする。図１５〜図１８に図示のとおり、摺動クランプ４は、形状および動作が「クイックリリース」式の自転車シートのポストクランプに似ている。摺動クランプ４はいくつかの構成要素、すなわち、成形されたロッキングレバー（ロッキングレバー）２６、クランプポスト１８、ワッシャ２０ａ、ｂ、（クランプポスト１８の反対側の端部に付いている）ナット２４、摺動クランプハンドル２７、および回転ボール４８を含む。
【手続補正１５】
【補正対象書類名】明細書
【補正対象項目名】００７１
【補正方法】変更
【補正の内容】
【００７１】
Ｅ．搭載プラットフォームカプラ８
ここで図１２を参照すると、搭載プラットフォーム２および搭載プラットフォームカプラ８の背面斜視図が示される。搭載プラットフォームカプラ（カプラ）８は図１９〜図２２により詳細に示される。カプラ８は、（特に、図１および図６に図示のとおり）搭載プラットフォーム２をスタンド１０、６０ａに調整可能に回転可能に接続する。カプラ８はいくつかの副構成要素、すなわち、カプラリング３６、カプラクランプ３８ａ、ｂ、第１の部分のカプラ基部４０、および第２の部分のカプラ基部４２を含む。この発明の好ましい実施例に従うと、カプラ８は、ねじ４４ａ、ｂまたは接着剤４６によって搭載プラットフォーム７０の後ろ側に結合され得るかまたは直接取付けられ得る第１の基部分４０だけを含み得る。接着剤４６は、カプラ８および搭載プラットフォーム２を製造する材料を接着させるのに適したいかなる種類の適切な接着材料をも含む。カプラ８はまた、図２１に図示のとおり、第１および第２のカプラ基部分４０、４２を介して、そして、この発明の別の実施例に従うと接着剤４６によって、搭載プラットフォーム２に取付けることができる。ねじ４４ａ、ｂは、第２の部分のカプラ基部４２を搭載プラットフォーム７０の後ろ側に保持し、次いで、接着剤４６が第２の部分のカプラ基部４０を第１の部分のカプラ基部４２に保持することにより、カプラ８が搭載プラットフォーム２に固定される。
【手続補正１６】
【補正対象書類名】明細書
【補正対象項目名】００７２
【補正方法】変更
【補正の内容】
【００７２】
スタンド３４の最終的な組立て前に、ユーザは、カプラリング３６（たとえば、図１に図示のとおり、短いスタンド基部構成要素１５ｇ）を通じて短いまたは高いスタンド１０、６０ａの構成要素のうちの１つを摺動させ、スタンド３４の組立てを完了させる。カプラクランプ３８ａ、ｂが図１９に示される位置にある場合、搭載プラットフォーム２は基部構成要素を中心に自由に回転する。次いで、ユーザは、スタンド１０、６０ａに対する所望の位置または角度でプラットフォーム２を位置決めし、図２０に図示のとおり、基部構成要素カプラクランプ３８ａ、ｂの方へ押込むことによって適所に搭載プラットフォーム２を締める。カプラクランプ３８ａ、ｂは搭載プラットフォーム２を意図した位置で基部構成要素に締め、次いで、ユーザが本５０、ラップトップ型コンピュータ５２または他の装置を搭載プラットフォーム２上に配置し、それらを（スロット６ａ〜ｄにおいて摺動させて）それぞれ適所に置いた後に摺動クランプ４で適所にロックし得る。この発明のさらなる実施例に従うと、予め定められた角度戻り止めは、たとえば５゜、１０゜、１５゜毎などで設けられてもよい。角度戻り止めは角度のいかなる組であってもよく、戻り止めごとの量は同じでなくてもよい。この発明の当業者が認識し得るように、さまざまな戻り止め角の組がこの発明のいくつかのさまざまな実施例の範囲内にあると考えられる。図２２は、この発明の好ましい実施例に従ったカプラ８の詳細な側面図である。
【手続補正１７】
【補正対象書類名】明細書
【補正対象項目名】００７４
【補正方法】変更
【補正の内容】
【００７４】
Ｆ．ブックストラップ
図２３Ａは、この発明の実施例に従ったスタンド３４とともに用いられる第１のブックストラップ５４ａの正面図を示す。ブックストラップ５４ａを用いることにより、本／ラップトップ型コンピュータスタンド３４上での本５０の保持が容易になる。図２３Ａに図示のとおり、ブックストラップ５４ａは、好ましくは半透明材料の単一部品、この発明の好ましい実施例に従うと、ネオプレンを含むビニルまたは他の合成ポリマーなどの透明な可塑化された材料から形成される。しかしながら、この発明の当業者が認識し得るように、ブックストラップ５４ａは、それらが半透明であろうとなかろうと、革、織物、布、動物の皮、紙または他の材料を含むがこれらに限定されない実質的に可撓性のある如何なる材料からも作ることができる。ブックストラップ５４ａを用いるために、ユーザは、まず、本５０をスタンド３４上に置き、これを上述の（および図２６に関連した下記の）方法にしたがって固定し、次いで、ユーザが現時点で読むと考えられるページの部分を隔離する。次いで、ユーザは、開いた区域５６を通じて選択されたページのグループを挿入し、本５０の上部およびスタンド３４を越えて搭載プラットフォーム６８の後ろ側に位置する上方の固定点にまで第１および第２のストラップ５８ａ、ｂを配置し、本５０の底部およびスタンド３４の下において、搭載プラットフォーム６８の後ろ側に位置する下方の付加的な固定点にまで第３および第４のストラップ５８ｃ、ｄを配置する。ブックストラップ５４ａのもつ効果は、（図２４Ａに図示のとおり）本５０のうちの数ページを分離し、本５０をスタンド３４の上に保持するのを助けることである。第１〜第４のストラップ５８ａ〜ｄを搭載プラットフォーム６８の後ろ側に配置し固定した後、摺動クランプ４の１つ以上のロッキングレバー２６の回転ボール４８の下にページが配置される。ここで、ユーザは保持された本を読む準備ができ、図２４Ｂに図示のとおり、本の一方側から他方側に容易にページを移動させることができる。図３３Ｂに図示のとおり、この発明の好ましい実施例に従うと、ブックストラップ５４ｂは、該して長方形の開いた区域５６を備えており、本５０のページを内部に嵌まり込ませている。ブックストラップ５４ｂは、本５０および搭載プラットフォーム２と相互作用してブックストラップ５４ａと同様に作用する。好ましい実施例に従うと、穴５５は、図２３Ｂに図示のとおり、ブックストラップ５４ｂの各側部および両端において約５″に対して１／２″の間隔をあけて配置されている。この発明のさらに別の実施例に従うと、ブックストラップ５４ａ、ｂは、両側が本の左側と右側との厚さの違いに対応できるように、わずかな可撓性を備えて成形された剛性材料から構成され得る。この発明のさらなる実施例に従うと、ブックストラップ５４ａ、ｂは１つ、２つまたはそれ以上の別個の構成要素、たとえば左側および右側のストラップから作製することができる。
【手続補正１８】
【補正対象書類名】明細書
【補正対象項目名】００７５
【補正方法】変更
【補正の内容】
【００７５】
ＩＶ．スタンドアセンブリの使用方法
図２８を参照すると、この発明の実施例に従ったスタンド３４を用いるための方法１００のフローチャートが示される。方法１００は、概して、ラップトップ型コンピュータ５２を見ること／用いることに関してスタンド３４の使用を説明しているが、特に言及および説明した場合を除き、本５０にも等しく同様に適用される。さらに、この発明の具体的な実施例を説明する目的で、この発明の一実施例に示されるとおり摺動クランプは４つであるが、上述のとおり、摺動クランプ４が１つだけであってもよく、さらに所望されるだけの数であってもよいことが想定される。ラップトップ型コンピュータ５２を備えたスタンド３４を用いるために、ユーザは、ステップ１０２においてスタンド３４を組立てるかまたは組立てており、そして、ステップ１０４においてスタンド３４を位置決めする。次いで、ユーザは、ステップ１０６においてスタンド３４の高さを予備的に調整してから、ラップトップ型コンピュータ５２をスタンド３４の上に配置し得る。ステップ１０６にお
ける高さの調整は、スタンド３４の高さを大きく調整するためのフリップロックレバー１７ａ、ｂの使用を含み、（使用時に特定のスタンドに存在するのであれば）Ｌ字形の補強材１４ａ、ｂを用いた上述のような高さの調整を含み得る。
【手続補正１９】
【補正対象書類名】明細書
【補正対象項目名】００８４
【補正方法】変更
【補正の内容】
【００８４】
上述のとおり、この発明のさらなる実施例に従うと、他のさまざまな手段を用いて、搭載プラットフォーム２をユーザの上で所望の高さに吊るすことができる。これらの中で主要なものは、一般にユーザが横たわっている面に載っている短いスタンド１０ではなく、床上に載っている高いスタンド６０ａである。ユーザの上の搭載プラットフォーム２の高さは、図６に図示のとおり、捩り止め１６ａ、ｂによって調整される。高いスタンド６０ａとともに搭載デッキ１２を用いることは、椅子に座りながらまたは椅子にわずかにもたれながらスタンド３４を使用するには好ましい方法であり得る。というのも、搭載デッキ１２は、傾斜可能なテーブル状の面と類似の機能を容易に果たし得るからである。搭載デッキ１２はまた、ベッドフレーム台、（病院ベッド用の）ベッド横板台、および壁掛け式の関節アームとともに用いることができる。
【手続補正２０】
【補正対象書類名】明細書
【補正対象項目名】００８５
【補正方法】変更
【補正の内容】
【００８５】
搭載デッキ１２が短いスタンド１０とともに用いられる場合、単に短いスタンド基部構成要素１５の上にある捩り止め１６ａ、ｄを緩めることにより、これらを、搭載プラットフォーム７０の後ろ側に接触するまで、内側に折畳んで左側においては時計周りに、そして、右側においては反時計周りに回転させることができる。次いで、スタンド３４は、たとえばベッドの下に容易に収納できるかまたは壁に立て掛けることができ、床面積をほとんど取らなくてすむようにできる。短いスタンド１０（および高いスタンド６０ａ）は、詳細に上述されたとおり、連結するいくつかの個々の部品からできているので、容易に収納または輸送されるよう設計されている。
【手続補正２１】
【補正対象書類名】図面
【補正対象項目名】全図
【補正方法】変更
【補正の内容】
【図１】
2009514607.tif 000001
【図２】
2009514607.tif 000002
【図３】
2009514607.tif 000003
【図４】
2009514607.tif 000004
【図５】
2009514607.tif 000005
【図６Ａ】
2009514607.tif 000006
【図６Ｂ】
2009514607.tif 000007
【図６Ｃ】
2009514607.tif 000008
【図７】
2009514607.tif 000009
【図８】
2009514607.tif 000010
【図９】
2009514607.tif 000011
【図１０Ａ】
2009514607.tif 000012
【図１０Ｂ】
2009514607.tif 000013
【図１０Ｃ】
2009514607.tif 000014
【図１０Ｄ】
2009514607.tif 000015
【図１０Ｅ】
2009514607.tif 000016
【図１０Ｆ】
2009514607.tif 000017
【図１１Ａ】
2009514607.tif 000018
【図１１Ｂ】
2009514607.tif 000019
【図１２】
2009514607.tif 000020
【図１３】
2009514607.tif 000021
【図１４Ａ】
2009514607.tif 000022
【図１４Ｂ】
2009514607.tif 000023
【図１４Ｃ】
2009514607.tif 000024
【図１４Ｄ】
2009514607.tif 000025
【図１５】
2009514607.tif 000026
【図１６】
2009514607.tif 000027
【図１７Ａ】
2009514607.tif 000028
【図１７Ｂ】
2009514607.tif 000029
【図１８Ａ】
2009514607.tif 000030
【図１８Ｂ】
2009514607.tif 000031
【図１８Ｃ】
2009514607.tif 000032
【図１９】
2009514607.tif 000033
【図２０】
2009514607.tif 000034
【図２１】
2009514607.tif 000035
【図２２】
2009514607.tif 000036
【図２３Ａ】
2009514607.tif 000037
【図２３Ｂ】
2009514607.tif 000038
【図２４Ａ】
2009514607.tif 000039
【図２４Ｂ】
2009514607.tif 000040
【図２５Ａ】
2009514607.tif 000041
【図２５Ｂ】
2009514607.tif 000042
【図２５Ｃ】
2009514607.tif 000043
【図２５Ｄ】
2009514607.tif 000044
【図２５Ｅ】
2009514607.tif 000045
【図２５Ｆ】
2009514607.tif 000046
【図２５Ｇ】
2009514607.tif 000047
【図２５Ｈ】
2009514607.tif 000048
【図２５Ｉ】
2009514607.tif 000049
【図２５Ｊ】
2009514607.tif 000050
【図２５Ｋ】
2009514607.tif 000051
【図２５Ｌ】
2009514607.tif 000052
【図２５Ｍ】
2009514607.tif 000053
【図２５Ｎ】
2009514607.tif 000054
【図２５Ｏ】
2009514607.tif 000055
【図２５Ｐ】
2009514607.tif 000056
【図２５Ｑ】
2009514607.tif 000057
【図２５Ｒ】
2009514607.tif 000058
【図２５Ｓ】
2009514607.tif 000059
【図２６】
2009514607.tif 000060
【図２７】
2009514607.tif 000061
【図２８】
2009514607.tif 000062
【図２９】
2009514607.tif 000063
【図３０】
2009514607.tif 000064
【図３１】
2009514607.tif 000065
【図３２】
2009514607.tif 000066